(57)【要約】      （修正有）【課題】搬送装置を駆動せずに遊技媒体を略水平方向に搬送することによって、遊技機島の高さを低く抑えた遊技媒体搬送装置を提供する。【解決手段】遊技媒体搬送装置は、搬送方向に形成された略半円筒形状の遊技媒体貯留部１１と、遊技媒体貯留部１１間に形成され、搬送平面通路１２aと補給シュート６方向に下り傾斜した補給傾斜面通路１２bとを有する遊技媒体搬送通路１２と、遊技媒体貯留部１１内に配設された遊技媒体搬送通路１２の幅方向に回転翼２２を形成した水車状の回転部材２０と、回転部材２０の駆動機構と、補給傾斜通路１２bの下端に配設された補給シュート６を備え、上流に配設された遊技媒体貯留タンクより放出された遊技媒体４を最上流の遊技媒体貯留部１１内に貯留した後に回転部材２０を回転することより下流に搬送するとともに補給傾斜通路１２bから補給シュート６に搬出し、遊技機または遊技媒体貸機に供給した。【選択図】図４
2008000570.tif 000002
【特許請求の範囲】
【請求項１】
遊技機と遊技媒体貸機を交互に配置した遊技機島の上部に架設され、遊技媒体を略水平方向に搬送するとともに、該搬送中の遊技媒体を補給シュートから遊技機と遊技媒体貸機の少なくとも一つに供給する遊技媒体搬送装置であって、
前記水平搬送装置は、搬送方向に間隔をおいて搬送路を横断して形成された略半円筒形状の遊技媒体貯留部と、
前記遊技媒体貯留部間に形成され、搬送平面通路と補給シュート方向に下り傾斜した補給傾斜面通路とを有する遊技媒体搬送通路とを有する搬送路と、
前記遊技媒体貯留部内に配設された遊技媒体搬送通路の幅方向に回転翼を形成した水車状の回転部材と、
前記回転部材の駆動機構と、
前記補給傾斜通路の下端に配設された補給シュートを備え、
上流に配設された遊技媒体貯留タンクより放出された遊技媒体を最上流の遊技媒体貯留部内に貯留した後に前記回転部材を回転することにより下流に搬送するとともに補給傾斜通路から補給シュートに搬出し、もって、遊技機と遊技媒体貸機の少なくとも一つに供給した
ことを特徴とする、遊技媒体搬送装置。
【請求項２】
前記遊技媒体貯留部の表面に払拭部材を配設した
ことを特徴とする請求項１項に記載の遊技媒体搬送装置。
【請求項３】
前記回転部材を払拭部材で形成した
ことを特徴とする請求項１項記載の遊技媒体搬送装置。
【発明の詳細な説明】
【技術分野】
【０００１】  本発明は、遊技媒体を遊技機島に配設された遊技機に搬送供給するための遊技媒体搬送装置、特に、搬送通路を駆動させることなく遊技媒体を搬送する遊技媒体搬送装置に関する。
【背景技術】
【０００２】  遊技機島に配設されている遊技機や遊技媒体貸機に遊技媒体を搬送供給するための搬送装置は、一般的に、遊技機島の上方に傾斜させて配設されている。そして、その傾斜を利用して遊技媒体を補給タンクから補給経路内に供給している。この遊技媒体を搬送装置に形成されている補給経路内部を上流から下流方向に下るように転送させて各々の遊技機や遊技媒体貸機に供給していた。しかしながら、このように傾斜した補給経路を有する搬送装置を備えた遊技機島では、遊技機島の上部が高く、しかも大きくなる構造となることが避けられなかった。このことは、遊技媒体の供給量が多く、また、補給経路が長くなるほど顕著になる傾向にある。このため、遊技機島が大型化されたホールでは、ホール内に取付けられた防犯カメラの視界が遊技機島（搬送装置）によって遮られる場合や、照明がとどかない影の部分が多くなり、その影を解消するためにも照明の数を増やす必要が生じる等の問題点があるばかりか、遊技場の内装設備等の設計自由度を阻害する恐れがあった。【０００３】  このため、それらの問題点を解決するために、特許第２５１８４９０号（特許文献１）のように固定経路部に流下してきたパチンコ玉を、駆動ローラ２２（特許文献１中の符号）と、従動ローラ２３（特許文献１中の符号）と、その間に掛け渡された水平搬送ベルト２１（特許文献１中の符号）によって構成あれた搬送装置を駆動モータ２６（特許文献１中の符号）によって回転駆動することによってパチンコ玉を水平に搬送する構成が開示されている。【０００４】  そして、水平に搬送されたパチンコ玉を補給経路１０（特許文献１中の符号）の側部に分離器４１（特許文献１中の符号）を設け、この分離器４１に隣設して形成された膨出側壁４４（特許文献１中の符号）によって、振り分けてパチンコ機２（特許文献１中の符号）に供給していた。【０００５】  この出願の発明に関連する先行技術文献としては次のものがある。
【特許文献１】  特許第２５１８４９０号（特開平６−３９１３６）
【非特許文献１】  なし
【発明の開示】
【発明が解決しようとする課題】
【０００６】  しかしながら、このように水平搬送ベルト２１（特許文献１中の符号）によってパチンコ玉を搬送する搬送構造では、遊技機島の上部に補給経路を傾斜させた搬送装置を配設した場合に対して、遊技機島の上部が高く、且つ、大きくなる問題点や遊技機島が防犯カメラの視界を阻害すること、遊技場の内装設備等の設計自由度を阻害すること等の問題点は解消されるが、構造上、水平搬送ベルト２１（特許文献１中の符号）自体が回転駆動する構成のため、長い遊技機島への対応が困難であるばかりか、水平搬送ベルト２１（特許文献１中の符号）に不都合が生じた場合には、装置全体を停止させて修理する必要がある等、装置の構築、保守点検が容易でなく、しかも、水平搬送ベルト２１（特許文献１中の符号）自体も常時ベルトを張設しておく必要があり、テンションローラ２４（特許文献１中の符号）やベルト支持部材２５（特許文献１中の符号）等の部品が必須となり、部品点数が増加してコストアップの要因となる恐れがあった。更に、水平搬送ベルト２１は、駆動ローラ２２（特許文献１中符号）と従動ローラ２３との間に無端状態で掛け渡されているため水平搬送ベルト２１（特許文献１中符号）の上側面を使用してパチンコ玉の搬送を行うにも係わらず装置として水平搬送ベルト２１（特許文献１中符号）下側面の収納スペースを確保する必要があり、遊技機島の上部の高さを低くするには限度があった。【０００７】  更に、パチンコ玉をパチンコ機２（特許文献１中の符号）に供給するには、樽状のテンションローラ２４（特許文献１中の符号）と板状のベルト支持部材２５（特許文献１中の符号）とを交互に設けて保持されている水平搬送ベルト２１（特許文献１中符号）から補給経路１０（特許文献１中の符号）の側部に形成された玉待機経路部４０（特許文献１中の符号）に一端転送して、その後に、膨出側壁４４（特許文献１中符号）によって、分離器４１（特許文献１中符号）内に振り分けられていた。従って、パチンコ玉の搬送流は、水平搬送ベルト２１（特許文献１中の符号）から樽状のテンションローラ２４（特許文献１中の符号）の傾斜面を流れ、一旦玉待機経路部４０（特許文献中１の符号）に転送されたパチンコ玉は、後から搬送されてくるパチンコ玉の押圧力によって分離器４１（特許文１献中符号）へ振り分けられるものであるからパチンコ機２（特許文献１中の符号）からの補給要求に対して機敏に対応することが困難であった。【０００８】  本発明は、上記の問題を解決するためになされたものであり、その目的は、搬送装置（搬送路）を駆動することなく遊技媒体を略水平方向に搬送することによって、遊技機島の高さを低く抑えることができ、しかも部品点数が少なく、装置の構築、保守点検が容易であり、コスト的にも有利な遊技媒体搬送装置を提供するものである。
【課題を解決するための手段】
【０００９】  上記課題を解決するため、本発明においては、遊技機と遊技媒体貸機を交互に配置した遊技機島の上部に架設され、遊技媒体を略水平方向に搬送するとともに、該搬送中の遊技媒体を補給シュートから遊技機と遊技媒体貸機の少なくとも一つに供給する遊技媒体搬送装置であって、前記遊技媒体搬送装置は、搬送方向に間隔をおいて搬送路を横断して形成された略半円筒形状の遊技媒体貯留部と、前記遊技媒体貯留部間に形成され、搬送平面通路と補給シュート方向に下り傾斜した補給傾斜面通路とを有する遊技媒体搬送通路と、前記遊技媒体貯留部内に配設された遊技媒体搬送通路の幅方向に回転翼を形成した水車状の回転部材と、前記回転部材の駆動機構と、前記補給傾斜通路の下端に配設された補給シュートを備え、上流に配設された遊技媒体貯留タンクより放出された遊技媒体を最上流の遊技媒体貯留部内に貯留した後に前記回転部材を回転することより下流に搬送するとともに補給傾斜通路から補給シュートに搬出し、もって、遊技機と遊技媒体貸機の少なくとも一つに供給したものである。【００１０】  このことにより、搬送路を駆動させることなく、回転部材の回転により遊技媒体を略水平方向に搬送することができ、しかも、遊技媒体を搬送させるために設けられた回転部材の略半分を略半円筒形状に形成された遊技媒体貯留部内に埋没させて配置するために、遊技媒体搬送装置ひいては遊技機島全体の高さを低く抑えることができる。また、回転部材が損傷した場合にも、その部分のみ交換することで対応することができ、部品点数が少なく、保守点検を迅速且つ容易に実施することができコスト的にも有利である。【００１１】  次の発明は、前記遊技媒体貯留部の表面に払拭部材を配設したものである。【００１２】  このことにより、遊技媒体の搬送中に遊技媒体に付着した埃、油分などを払拭することにより、常に遊技媒体を清潔な状態に維持することができ遊技者に不快感を与える恐れが少ない。【００１３】  更に、次の発明は、前記回転部材を払拭部材で形成したものである。【００１４】  このことにより、遊技媒体の搬送中に遊技媒体に付着した埃、油分などを払拭することにより、常に遊技媒体を清潔な状態に維持することができ遊技者に不快感を与える恐れが少なくなるばかりか、回転部材を交換することにより払拭性能の向上を容易に図ることができる。
【発明の効果】
【００１５】  以上のように、本発明によれば、遊技機と遊技媒体貸機を交互に配置した遊技機島の上部に架設され、遊技媒体を略水平方向に搬送するとともに、該搬送中の遊技媒体を補給シュートから遊技機と遊技媒体貸機の少なくとも一つに供給する遊技媒体搬送装置であって、前記遊技媒体搬送装置は、搬送方向に間隔をおいて搬送路を横断して形成された略半円筒形状の遊技媒体貯留部と、前記遊技媒体貯留部間に形成され、搬送平面通路と補給シュート方向に下り傾斜した補給傾斜面通路とを有する遊技媒体搬送通路と、前記遊技媒体貯留部内に配設された遊技媒体搬送通路の幅方向に回転翼を形成した水車状の回転部材と、前記回転部材の駆動機構と、前記補給傾斜通路の下端に配設された補給シュートを備え、上流に配設された遊技媒体貯留タンクより放出された遊技媒体を最上流の遊技媒体貯留部内に貯留した後に前記回転部材を回転することより下流に搬送するとともに補給傾斜通路から補給シュートに搬出し、もって、遊技機と遊技媒体貸機の少なくとも一つに供給することにより、回転部材の回転により駆動装置自体を駆動させることなく、遊技媒体を略水平方向に搬送することができため、遊技媒体搬送装置を含めた遊技機島の高さを低く抑えることができる。また、回転部材が損傷した場合には、その部分のみ交換することで対応することができ、部品点数が少なく、保守点検を迅速且つ容易に実施することができコスト的にも有利な遊技媒体搬送装置を提供する。
【発明を実施するための最良の形態】
【００１６】  以下、本発明を実施するための最良の形態を、図面に基づいて説明する。図１は、本発明の遊技媒体搬送装置を配設した遊技機島を示した斜視図である。図２は、本発明の遊技媒体搬送装置の第一実施例を示した要部概略平面図である。図３は、本発明の第一実施例示した要部側面断面である。図４は、本発明の第一実施例を示した要部概略斜視図である。図５は、本発明の遊技媒体搬送装置の第二実施例を示した要部概略平面図である。【００１７】  本発明の遊技媒体搬送装置１は、図１に示すように遊技機島１００に配列された複数の遊技機２と該遊技機２と遊技機の間に配設された遊技媒体貸機３の上方に架設されている。そして、この遊技機島１００の端部には、遊技媒体４（図２参照）の貯留タンク５が設けられていて、貯留タンク５に貯留されている遊技媒体４を必要に応じて遊技媒体搬送装置１に供給している。この遊技媒体搬送装置１は、供給された遊技媒体４を遊技機島１００の下流に搬送する。そして、この搬送過程で遊技媒体４を補給シュート６から遊技機２と遊技媒体貸機３の少なくとも一つに供給している。なお、遊技媒体搬送装置１に遊技媒体４を供給する貯留タンク５側を上流と言い、島の端部側を下流と言う。例えば、隣接する補給シュート６同士で考えると、貯留タンク５に近い補給シュート６側を上流側、貯留タンク５から遠い補給シュート６側を下流側と言う。【００１８】  以下、詳細を図に基づいて説明する。図１ないし図４に示すような第一実施例の遊技媒体搬送装置１は、遊技機２と遊技媒体貸機３を交互に並設して構成された２列の遊技機・遊技媒体貸機列を各々遊技側が外側に向くようにして配置したいわゆる両島と称される遊技機島１００に架設されていて、前述の遊技機・遊技媒体貸機列のそれぞれ上部に搬送路１０と回転部材２０と架設するとともに該回転部材２０の駆動機構３０を各列の間に配設している。以下、片側の遊技機・遊技媒体貸機列上に架設された搬送路１０について主に説明する。【００１９】  搬送路１０は、遊技媒体４の搬送方向に間隔を隔てて形成された複数の遊技媒体貯留部１１と該遊技媒体貯留部１１と遊技媒体貯留部１１との間を接続する遊技媒体搬送通路１２とそれらの側辺に立設された路壁１３とで構成されている。前述の遊技媒体貯留部１１は、略半円筒形状に形成され、搬送路１０の幅方向に半円筒の長手部分が横断するようにして路面に対して凹設されている。即ち、半円筒の断面が両路壁１３に当接するように配置されている。一方、遊技媒体搬送通路１２は、搬送平面１２ａと補給傾斜面通路１２ｂを有する。そして、この搬送平面１２ａは、前後の遊技媒体貯留部１１を接続するもので、搬送路１０の幅方向略半分の範囲で内側（反対側の遊技機・遊技媒体貸機列側）の路壁１３側の形成されている。また、遊技媒体搬送通路１２ｂは、一側面が搬送平面１２ａに接続され、他端（遊技機２の遊技側）方向に下り傾斜して形成されている。この遊技媒体搬送通路１２ｂの傾斜先端には補給シュート６が配設されている。【００２０】  回転部材２０は、円柱本体２１に搬送路１０の幅方向に長い回転翼２２を設けた水車形に形成されている。そして、円柱本体２１の中心に両端に突出した回転軸２３を設けら��ている。そして、この回転部材２０の直径方向の略半分は、略半円筒形状に形成されている遊技媒体貯留部１１の内部に埋没するよう配置されて両路壁１３に回転可能に軸止されている。【００２１】  駆動機構３０は、２列の遊技機・遊技媒体貸機列の間に配設され、各々の搬送路１０に軸止された複数の回転部材２０各々の回転軸２３に固着されている回転ギア３１と、各回転ギア３１と回転ギア３１を回転伝達するためにその間に配置されたアイドルギア３２と、回転ギア３１を回転させるモータ（図示しない）とで構成されている。そして、この駆動機構３０により、遊技機島１００の各々の遊技機・遊技媒体貸機列上部に架設されている搬送路１０の間に配設された回転部材２０を同時に回転させている。【００２２】  前述の回転部材２０は、円柱本体２１の外周に複数の回転翼２２を長手方向に突設している。すなわち、搬送路１０を横切るように回転部材２０を配設したときに前記遊技媒体貯留部１１の半円筒縁と平行になるように設けられている（実施例では１０本）。そして、円柱本体２１に両端の中心には回転軸２３が突設されていて、この回転軸２３を路壁１３に回転可能に軸止している。【００２３】  遊技媒体貯留タンク５から放出された遊技媒体４は、最上流の回転部材２０に形成されている回転翼２２の間に送りこまれた後に、回転部材２０の回転により下流の遊技媒体貯留部１１に送り込まれる。このとき回転部材２０の回転翼２２の先端と遊技媒体貯留部１１の底壁とは遊技媒体４が挟まれない間隔に設定されているが、遊技媒体貯留部１１の縁は、遊技媒体４が容易に通過できる隙間に設定されている。即ち、遊技媒体貯留部１１の略半円筒形状の縁側は、拡開した形状に形成されている。このことにより、遊技媒体４が回転翼２２に挟まれて遊技媒体貯留部１１の内部に送り込まれないという問題点を解消させている。【００２４】  貯留タンク５に貯留されている遊技媒体４は、先ず、遊技媒体搬送装置１の搬送路１０の貯留タンク５側に放出される。この放出により押し出された（一般的に貯留タンク５は、遊技媒体搬送装置１より上方に位置しているため、遊技媒体４は傾斜通路（図示しない）を介して流下する。）遊技媒体４は、最初の遊技媒体貯留部１１に送り込まれ一時貯留される。そして、遊技機２または遊技媒体貸機３から遊技媒体４の補給要請があると回転部材２０が回転して一時滞留されている遊技媒体４を隣設する遊技媒体搬送通路１２に搬送する。搬送された遊技媒体４の一部は、搬送平面１２ａ上を転がって前方の遊技媒体貯留部１１に送り込まれる。また、他の遊技媒体４は、補給傾斜面通路１２ｂの傾斜面から補給シュート６に供給される。【００２５】  このようにして遊技媒体４は、下流に転送され、最も下流に形成された遊技媒体貯留部１１に貯留される。そして、その遊技媒体貯留部１１が満杯になると順次上流方向に堆積貯留される。尚、この実施例では、遊技媒体搬送装置１の最下流側を堰止めした構造であるが、遊技媒体４をその部分から遊技機島１００の下方に配置した島内下部貯留タンク（図示しない）に貯めたり、搬送装置（図示しない）に落下させ、再度補給タンク５に循環させる循環タイプの遊技機島に配置することもできる。【０���２６】  また、１４は、払拭部材であって、遊技媒体貯留部１１の円筒底壁の表面に貼着されている。このように払拭部材１４を貼着することによって、遊技媒体４を搬送する際に払拭部材１４と接触させ遊技媒体４の表面を清掃して遊技者に不快感を与える事態を軽減している。べつに、回転部材２０自体を払拭に適した材質で形成することによって遊技媒体４を常時清掃して遊技者の不快感を軽減することもできる。【００２７】  図５は、遊技媒体搬送装置１の第２実施例を示したもので、この実施例では、搬送路１０を遊技機島１００の中央に長手方向に沿って架設したものである。従って、搬送路１０は、一列で構成されている。従って、回転部材２０は、搬送路１０の幅方向に拡大され幅広に形成され、同様にして回転翼２２ならびに遊技媒体貯留部１１も延長されている。そして、駆動機構３０は、搬送路１０の外側に配設されるよう変更されている。このため、遊技媒体搬送通路１２は、中央部分に搬送平面１２ａを形成し、その両側に補給傾斜面通路１２ｂを補給シュート６に至るまで形成されている。このため、搬送路１０内を搬送された遊技媒体４は、搬送平面１２ａ上を転がって前方の遊技媒体貯留部１１に送り込まれるものと、両側の補給傾斜面通路１２ｂを流下して補給シュート６に送り込まれるものとに分かれて転送される。
【図面の簡単な説明】
【００２８】
【図１】本発明の遊技媒体搬送装置を配設した遊技機島を示した斜視図である。
【図２】本発明の遊技媒体搬送装置の第一実施例を示した要部概略平面図である。
【図３】本発明の第一実施例示した要部側面断面である。
【図４】本発明の第一実施例を示した要部概略斜視図である。
【図５】本発明の遊技媒体搬送装置の第二実施例を示した要部概略平面図である。
【符号の説明】
【００２９】１００  遊技機島
１  遊技媒体搬送装置
１０  搬送路
１１  （略半円筒形状の）遊技媒体貯留部
１２  遊技媒体搬送通路
１２ａ  搬送平面
１２ｂ  補給傾斜面通路
１３  路壁
２０  回転部材
２１  円柱本体
２２  回転翼
２３  回転軸
３０  駆動機構
３１  回転ギア
３２  アイドルギア
２  遊技機
３  遊技媒体貸機
４  遊技媒体
５  遊技媒体貯留タンク
６  補給シュート
【図１】
2008000570.tif 000003
【図２】
2008000570.tif 000004
【図３】
2008000570.tif 000005
【図４】
2008000570.tif 000006
【図５】
2008000570.tif 000007